(57)【要約】      （修正有）【課題】装飾ろうそくを、手間をかけないで容易に郵送することができる装飾ろうそく郵送セットを提供する。【解決手段】装飾ろうそく郵送セット１０は、複数の装飾ろうそく１１〜２３を受け入れる複数の凹部３３〜４５を備えた透明カバー３０を有し、透明カバー３０に一方の面３１ａを重ね合わせて各凹部３３〜４５を塞ぐことにより、凹部３３〜４５内に装飾ろうそく１１〜２３を収納するとともに、透明カバー３０の周縁４８が一方の面３１ａに接着可能なポストカード３１を有し、該ポストカード３１の他方の面３１ｂに、切手を貼る部位、宛名を記載する部位、メッセージなどを記載する部位を備えている。【選択図】図１
0003105556.tif 000002
【実用新案登録請求の範囲】
【請求項１】
ろうそく本体が所望の文字又は図柄に形成されるとともに所望の色に着色され、このろうそく本体の下端からケーキなどに差し込み可能な串が突出され、ろうそく本体の上端から芯を突出させた装飾ろうそくを、所定のフレーズを表示可能に複数個有し、
これら複数の装飾ろうそくを受け入れる複数の凹部を備えた透明カバーを有し、
この透明カバーに一方の面を重ね合わせて各凹部を塞ぐことにより、凹部内に装飾ろうそくを収納するとともに、透明カバーの周縁が一方の面に接着可能なポストカードを有し、
このポストカードの他方の面に、切手を貼る部位、宛名を記載する部位、メッセージなどを記載する部位を備えたことを特徴とする装飾ろうそく郵送セット。
【請求項２】
前記ポストカード及び透明カバーに係止用の孔を形成したことを特徴とする請求項１記載の装飾ろうそく郵送セット。
【考案の詳細な説明】
【技術分野】
【０００１】
本考案は装飾ろうそく郵送セットに係り、特にケーキなどに立てることにより周囲の環境を良好に保つことができる装飾ろうそくの郵送セットに関する。
【背景技術】
【０００２】
従来より誕生日などの記念日にケーキを準備し、準備したケーキに装飾ろうそくを立て、これらの装飾ろうそくに火を付けて記念日を祝う習慣がある。
【０００３】
記念日に使用する装飾ろうそくとして、ろうそく本体を、所望の文字又は図柄に形成するとともに所望の色に着色することにより、装飾ろうそくを組み合わせてケーキに立てて、「ＨＡＰＰＹ  ＢＩＲＴＨＤＡＹ」などのフレーズを表示することができるものが知られている（例えば、特許文献１参照。）。
【特許文献１】特開２００４−３５８１９号公報
【０００４】
この装飾ろうそくによれば、装飾ろうそくを組み合わせてケーキに立てるだけで、「ＨＡＰＰＹ  ＢＩＲＴＨＤＡＹ」などのフレーズを容易に表示することができる。加えて、各々のろうそく本体の色彩を変えることができる。
よって、これらの装飾ろうそくをケーキに立てて、火を灯せば周囲の雰囲気を十分に和やかにする効果を発揮する。
【考案の開示】
【考案が解決しようとする課題】
【０００５】
ここで、この装飾ろうそくを、例えば遠方の知人の誕生日や、結婚祝いなどに送り届けたい場合がある。この場合、装飾ろうそくを郵送するために、封筒に入れたり、小さな箱に入れたりして郵送することになる。
このため、装飾ろうそくを送る際に手間がかかり、この観点から改良の余地が残されていた。
【０００６】
本考案は、装飾ろうそくを、手間をかけないで容易に郵送することができる装飾ろうそく郵送セットを提供して、上述の全ての問題点を解消しようとするものである。
【課題を解決するための手段】
【０００７】
請求項１に係る考案は、ろうそく本体が所望の文字又は図柄に形成されるとともに所望の色に着色され、このろうそく本体の下端からケーキなどに差し込み可能な串が突出され、ろうそく本体の上端から芯を突出させた装飾ろうそくを、所定のフレーズを表示可能に複数個有し、これら複数の装飾ろうそくを受け入れる複数の凹部を備えた透明カバーを有し、この透明カバーに一方の面を重ね合わせて各凹部を塞ぐことにより、凹部内に装飾ろうそくを収納するとともに、透明カバーの周縁が一方の面に接着可能なポストカードを有し、このポストカードの他方の面に、切手を貼る部位、宛名を記載する部位、メッセージなどを記載する部位を備えたことを特徴とする。
【０００８】
複数の装飾ろうそくを透明カバーの凹部に収納し、この透明カバーにポストカードを重ね合わせて凹部を塞ぐことにより、凹部内に装飾ろうそくを収納する。
このように、ポストカードと複数の装飾ろうそくを一体化した。加えて、複数の装飾ろうそくを透明カバーの凹部に収納することで、透明カバーをポストカードから剥がさなくても、装飾ろうそくの文字や図柄を透明カバーの外側から目視で確認することができる。
【０００９】
よって、店頭で購入したままの状態で、装飾ろうそくを、例えば遠方の知人の誕生日や、結婚祝いなどに送り届けたい場合に、手間をかけないで容易に郵送することができる。
【００１０】
請求項２は、前記ポストカード及び透明カバーに係止用の孔を形成したことを特徴とする。
【００１１】
ポストカード及び透明カバーに係止用の孔を形成することで、店頭に配列する際に、係止用の孔を利用してフックにかけることで、見栄えよく陳列することができる。
【考案の効果】
【００１２】
請求項１に係る考案では、ポストカードと複数の装飾ろうそくを透明カバーで一体化することで、複数の装飾ろうそくを、手間をかけないで容易に郵送することができるという利点がある。
【考案を実施するための最良の形態】
【００１３】
以下、本考案に係る最良の形態を図面に基づいて詳細に説明する。図１は本考案に係る装飾ろうそく郵送セットの第１実施の形態を示す分解斜視図、図２は本考案に係る第１実施の形態を示す斜視図、図３は本考案に係る第１実施の形態を示す背面図、図４は本考案に係る装飾ろうそくをケーキに立てた状態を示す斜視図である。
【００１４】
図１〜図３に示す装飾ろうそく郵送セット１０は、複数の装飾ろうそく１１〜２３と、これらの装飾ろうそく１１〜２３を受け入れる透明カバー３０と、透明カバー３０に重ね合わせて複数の装飾ろうそく１１〜２３を収納するポストカード３１とを有する。
【００１５】
装飾ろうそく１１〜２３は、ろうそく本体１１ａ〜２３ａが所望の文字に形成されている。
また、ろうそく本体１１ａ〜２３ａは、所望の色に着色され、このろうそく本体１１ａ〜２３ａの下端からケーキ６０（図４参照）などに差し込み可能な串１１ｂ〜２３ｂが突出され、ろうそく本体１１ａ〜２３ａの上端から芯１１ｃ〜２３ｃを突出させたものである。
【００１６】
ろうそく本体１１ａ〜２３ａの文字は、ろうそく本体１１ａ，２０ａをアルファベット文字「Ｈ」、ろうそく本体１２ａ，２２ａをアルファベット文字「Ａ」、ろうそく本体１３ａ，１４ａをアルファベット文字「Ｐ」とし、またろうそく本体１５ａをアルファベット文字「Ｙ」、ろうそく本体１６ａをアルファベット文字「Ｂ」、ろうそく本体１７ａをアルファベット文字「Ｉ」とし、さらにろうそく本体１８ａをアルファベット文字「Ｒ」、ろうそく本体１９ａをアルファベット文字「Ｔ」とし、加えて、ろうそく本体２１ａをアルファベット文字「Ｄ」、ろうそく本体２３ａをアルファベット文字「Ｙ」とした。
【００１７】
よって、装飾ろうそく１１〜２３を組み合わせることにより、フレーズ「ＨＡＰＰＹ  ＢＩＲＴＨＤＡＹ」を表示することができる。
【００１８】
ろうそく本体１１ａ〜２３ａの文字を、一例としてアルファベット文字としたが、ろうそく本体１１ａ〜２３ａの文字はこれに限るものではなく、さらに文字に代えて図柄にすることも可能である。
【００１９】
透明カバー３０は、略矩形状に形成され、複数の装飾ろうそく１１〜２３を受け入れる複数の凹部３３〜４５を備え、上部４６に係止用の孔４７を備えた透明の樹脂薄板である。
ポストカード３１は、透明カバー３０と同形で、略矩形状に形成されている。
【００２０】
このポストカード３１は、透明カバー３０に一方の面３１ａを重ね合わせて各凹部３３〜４５を塞ぎ、他方の面３１ｂに、図３に示すように切手を貼る部位５１、宛名を記載する部位５２、メッセージなどを記載する部位５３を備える。
【００２１】
さらに、ポストカード３１は、透明カバー３０に重ね合わせた状態で、透明カバー３０の係止用の孔４７に一致させて係止用の孔５４が形成されている。
【００２２】
装飾ろうそく郵送セット１０によれば、透明カバー３０の複数の凹部３３〜４５に複数の装飾ろうそく１１〜２３を入れ、透明カバー３０にポストカード３１の一方の面３１ａを透明カバー３０に重ね合わせ、透明カバー３０の周縁４８を、ポストカード３１に形成した一方の面３１ａの周縁５６に熱融着するとともに、透明カバー３０に形成した係止用の孔４７の周囲４９を、ポストカード３１に形成した係止用の孔５４の周囲５７に熱融着する。
【００２３】
これにより、透明カバー３０の凹部３３〜４５をポストカード３１で塞ぐことにより、凹部３３〜４５内に装飾ろうそく１１〜２３を収納して、ポストカード３１と複数の装飾ろうそく１１〜２３を一体化することができる。
【００２４】
さらに、複数の装飾ろうそく１１〜２３を透明カバー３０の凹部３３〜４５に収納することで、透明カバー３０をポストカード３１から剥がさなくても、装飾ろうそく１１〜２３の文字や図柄を透明カバー３０の外側から目視で確認することができる。
よって、店頭で購入したままの状態で、装飾ろうそく１１〜２３を、例えば遠方の知人の誕生日や、結婚祝いなどに送り届けたい場合に、手間をかけないで容易に郵送することができる。
【００２５】
また、装飾ろうそく郵送セット１０によれば、ポストカード３１及び透明カバー３０に、それぞれ係止用の孔４７，５４を形成することで、店頭に配列する際に、係止用の孔４７，５４を利用してフック（図示せず）にかけることで、見栄えよく陳列することができる。
【００２６】
つぎに、この装飾ろうそく１１〜２３をケーキ６０に立てる使用例を図１、図２、図４に基づいて説明する。
まず、図２に示す状態から透明カバー３０をポストカード３１から剥がし、図１に示すようにポストカード３１から透明カバー３０を外す。
【００２７】
つぎに、透明カバー３０の凹部３３〜４５から装飾ろうそく１１〜２３を取り出し、取り出した装飾ろうそく１１〜２３の串１１ｂ〜２３ｂを、図４に示すケーキ６０に差しこむことによりケーキ６に装飾ろうそく１１〜２３を立てる。
【００２８】
立てた装飾ろうそく１１〜２３で、「ＨＡＰＰＹ  ＢＩＲＴＨＤＡＹ」のフレーズを表現することができる。
これにより、装飾ろうそく１１〜２３を使用することで周囲の雰囲気を十分に和やかにすることができる。
【００２９】
つぎに、第２〜第５実施の形態の装飾ろうそく郵送セットを図５〜図８に基づいて説明する。なお、第２〜第５実施の形態において第１実施の形態の装飾ろうそく郵送セット１０と同一部材については同一符号を付して説明を省略する。
【００３０】
前記第１実施の形態の装飾ろうそく郵送セット１０では、「ＨＡＰＰＹ  ＢＩＲＴＨＤＡＹ」のフレーズを表示可能な装飾ろうそく１１〜２３を、透明カバーを用いてポストカードと一体化した例について説明したが、図５に示す第２実施の形態の装飾ろうそく郵送セット７０のように、「Ｉ  ＬＯＶＥ  ＹＯＵ」のフレーズを表示可能な８本の装飾ろうそく（図示せず）をポストカード３１と一体化することも可能である。
【００３１】
すなわち、第２実施の形態の装飾ろうそく郵送セット７０は、透明カバー７１に、前記８本の装飾ろうそくを受け入れる凹部７２〜７９を備える。
凹部７２〜７９に、「Ｉ  ＬＯＶＥ  ＹＯＵ」のフレーズを表示可能な８本の装飾ろうそくを入れ、透明カバー７１をポストカード３１に熱融着することでポストカード３１と一体化する。
【００３２】
また、図６に示す第３実施の形態の装飾ろうそく郵送セット８０のように、「ＨＯＷ  ＡＲＥ  ＹＯＵ」のフレーズを表示可能な９本の装飾ろうそく（図示せず）をポストカード３１と一体化することも可能である。
【００３３】
すなわち、装飾ろうそく郵送セット８０は、透明カバー８１に、前記９本の装飾ろうそくを受け入れる凹部８２〜９０を備える。
凹部８２〜９０に、「ＨＯＷ  ＡＲＥ  ＹＯＵ」のフレーズを表示可能な９本の装飾ろうそくを入れ、透明カバー８１をポストカード３１に熱融着することでポストカード３１と一体化する。
【００３４】
また、図７に示す第４実施の形態の装飾ろうそく郵送セット１００のように、「ＨＡＰＰＹ  ＷＥＤＤＩＮＧ」のフレーズを表示可能な１２本の装飾ろうそく（図示せず）をポストカード３１と一体化することも可能である。
【００３５】
すなわち、装飾ろうそく郵送セット１００は、透明カバー１０１に、前記１２本の装飾ろうそくを受け入れる凹部１０２〜１１３を備える。
凹部１０２〜１１３に、「ＨＡＰＰＹ  ＷＥＤＤＩＮＧ」のフレーズを表示可能な１２本の装飾ろうそくを入れ、透明カバー１０１をポストカード３１に熱融着することでポストカード３１と一体化する。
【００３６】
また、図８に示す第５実施の形態の装飾ろうそく郵送セット１２０のように、「ＴＨＡＮＫ  ＹＯＵ」のフレーズを表示可能な８本の装飾ろうそく（図示せず）をポストカード３１と一体化することも可能である。
【００３７】
すなわち、装飾ろうそく郵送セット１２０は、透明カバー１２１に、前記８本の装飾ろうそくを受け入れる凹部１２２〜１２９を備える。
凹部１２２〜１２９に、「ＴＨＡＮＫ  ＹＯＵ」のフレーズを表示可能な８本の装飾ろうそくを入れ、透明カバー１２１をポストカード３１に熱融着することでポストカード３１と一体化する。
【００３８】
なお、装飾ろうそくの表示フレーズは、前記第１〜第５実施の形態で説明したものに限らないで任意のフレーズを選択することが可能である。
【図面の簡単な説明】
【００３９】
【図１】本考案に係る装飾ろうそく郵送セットの第１実施の形態を示す分解斜視図である。
【図２】本考案に係る第１実施の形態を示す斜視図である。
【図３】本考案に係る第１実施の形態を示す背面図である。
【図４】本考案に係る装飾ろうそくをケーキに立てた状態を示す斜視図である。
【図５】本考案に係る装飾ろうそく郵送セットの第２実施の形態を示す正面図である。
【図６】本考案に係る装飾ろうそく郵送セットの第３実施の形態を示す正面図である。
【図７】本考案に係る装飾ろうそく郵送セットの第４実施の形態を示す正面図である。
【図８】本考案に係る装飾ろうそく郵送セットの第５実施の形態を示す正面図である。
【符号の説明】
【００４０】
１０，７０，８０，１００，１２０…装飾ろうそく郵送セット
１１〜２３…装飾ろうそく
１１ａ〜２３ａ…ろうそく本体
１１ｂ〜２３ｂ…串
１１ｃ〜２３ｃ…芯
３０，７１，８１，１０１，１２１…透明カバー
３１…ポストカード
３１ａ…一方の面
３１ｂ…他方の面
３３〜４５，７２〜７９，８２〜９１，１０２〜１１３，１２２〜１２９…凹部
４７，５４…係止用の孔
４８…透明カバーの周縁
５１…切手を貼る部位
５２…宛名を記載する部位
５３…メッセージなどを記載する部位
６０…ケーキ
【図１】
0003105556.tif 000003
【図２】
0003105556.tif 000004
【図３】
0003105556.tif 000005
【図４】
0003105556.tif 000006
【図５】
0003105556.tif 000007
【図６】
0003105556.tif 000008
【図７】
0003105556.tif 000009
【図８】
0003105556.tif 000010